【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
ネットワークを検査する方法であって、
複数のトラッキングファクターを識別する工程であって、各々の前記トラッキングファクターは複数の可能値を有する、工程と、
複数のグローバルフロー識別子を生成する工程であって、前記複数のグローバルフロー識別子は、前記複数のトラッキングファクターについての値の全ての可能な組み合わせに対応する一意のグローバルフロー識別子を含む、工程と、
１つ以上のソースポートユニットが前記ネットワークを通じて複数のパケットを送信する工程であって、各々の前記パケットは、前記複数のグローバルフロー識別子の１つに対応するパケットグループ識別子（ＰＧＩＤ）を含む、工程と、
１つ以上の送信先ポートユニットが前記ネットワークを介して前記パケットを受信する工程であって、前記送信先ポートユニットは、
各々の受信された前記パケットから前記パケットグループ識別子を抽出し、
複数の前記ＰＧＩＤの各々に関するトラフィック統計を蓄積する、
工程と、
前記複数のトラッキングファクターから選択された第１のトラッキングファクターに基づいて集約されたトラフィック統計を生成するために、複数の前記ＰＧＩＤの少なくとも一部に関して蓄積された前記トラフィック統計を集約する工程と、
を含む方法。
【請求項２】
前記複数のグローバルフロー識別子を生成する工程は、
各々の前記トラッキングファクターに関して、それぞれの複数の前記値と対応するコードとを関連付けるためにマップを生成する工程であって、各々の前記トラッキングファクターに対応する前記コードの長さは、それぞれの複数の前記値の各々を一意に識別するのに十分な最小長さである、工程と、
前記複数のトラッキングファクターについての前記値の各々の可能な組み合わせに対応する前記コードを連結させて、前記複数のグローバルフロー識別子を形成する工程と、
をさらに含む、請求項１に記載の方法。
【請求項３】
各々の前記送信先ポートユニットにおいて受信される前記複数のグローバルフロー識別子のポート固有のサブセットを識別する工程と、
各々の前記送信先ポートユニットに関するポート固有のＰＧＩＤマップを生成して、前記グローバルフロー識別子のそれぞれのサブセットの各々と１つ以上の前記ＰＧＩＤとを関連付ける工程と、
をさらに含む、請求項２に記載の方法。
【請求項４】
蓄積された前記トラフィック統計を集約する工程は、
各々の送信先ポートユニットが、
フィルタマスクに従って複数のフィルタ処理されたＰＧＩＤを選択し、
前記複数のフィルタ処理されたＰＧＩＤを、前記ポート固有のＰＧＩＤマップに基づいて対応する複数のフィルタ処理されたグローバルフロー識別子に変換し、
前記フィルタ処理されたグローバルフロー識別子および前記第１のトラッキングファクターに基づいて前記フィルタ処理されたＰＧＩＤに関連付けられたトラフィック統計を集約すること
をさらに含む、請求項３に記載の方法。
【請求項５】
蓄積された前記トラフィック統計を集約する工程は、
各々の前記送信先ポートユニットが、集約された前記トラフィック統計を検査アドミニストレータコンピューティングデバイスに送信し、
前記検査アドミニストレータコンピューティングデバイスが、前記送信先ポートユニットから受信された前記トラフィック統計を集約すること
をさらに含む、請求項４に記載の方法。
【請求項６】
前記複数のパケットの各々は、複数のデータフィールドからなり、
前記複数のトラッキングファクターは、トラフィックアイテム識別子ならびにソースポート識別子、送信先ポート識別子、および前記複数のデータフィールドからのフィールドのうちの１つ以上を含む、請求項１に記載の方法。
【請求項７】
前記トラッキングファクターは、ソースＩＰアドレス、送信先ＩＰアドレス、サービスのタイプ、およびプロトコルのうちの少なくとも１つを含む、請求項６に記載の方法。
【請求項８】
前記トラッキングファクターは、各々のトラフィックアイテムに関して異なる、請求項６に記載の方法。
【請求項９】
蓄積された前記トラフィック統計を集約する工程は、
各々の前記ＰＧＩＤに関して、前記第１のトラッキングファクターについての対応する値を決定する工程と、
前記第１のトラッキングファクターについての共通の値を有する前記ＰＧＩＤに関する前記トラフィック統計を集約する工程と、
をさらに含む、請求項１に記載の方法。
【請求項１０】
前記複数のトラッキングファクターから第２のトラッキングファクターを選択する工程と、
前記第２のトラッキングファクターについての特定の値を選択する工程と、
蓄積された前記トラフィック統計をフィルタ処理して、前記第２のトラッキングファクターについて選択された前記特定の値に関連付けられたＰＧＩＤのみを選択する工程と、
選択された前記ＰＧＩＤの各々についてフィルタ処理された前記トラフィック統計を集約して、前記第１のトラッキングファクターに関する概要統計を生成する工程と、
をさらに含む、請求項１に記載の方法。
【請求項１１】
ネットワークを通じて複数のパケットを送信するための少なくとも１つのソースポートユニットであって、各々の前記パケットはパケットグループ識別子（ＰＧＩＤ）を含む、少なくとも１つのソースポートユニットと、
少なくとも１つの送信先ポートユニットであって、前記少なくとも１つの送信先ポートユニットは、
前記ネットワークから前記パケットを受信するためのネットワークインターフェースユニットと、
各々の受信された前記パケットからＰＧＩＤを抽出し、各々の前記ＰＧＩＤに関連付けられたトラフィック統計を蓄積するように構成される統計エンジンと、
複数の前記ＰＧＩＤに関する蓄積された前記トラフィック統計を格納するための統計メモリと、
前記統計メモリに接続されたポートプロセッサであって、前記ポートプロセッサは、
フィルタマスクに従って、選択された複数の前記ＰＧＩＤに関連付けられたトラフィック統計を前記統計メモリから検索する工程と、
選択された前記ＰＧＩＤを、ポート固有のＰＧＩＤマップに基づいて、対応する複数のグローバルフロー識別子に変換する工程と、
集約マスクに従って、検索した前記トラフィック統計および複数のグローバルフロー識別子を集約する工程と、
を含む動作を実行する、ポートプロセッサと、
を含む、少なくとも１つの送信先ポートユニットと、
を含む、ネットワークを検査するための装置。
【請求項１２】
１つ以上の前記送信先ポートユニットに接続された検査アドミニストレータコンピューティングデバイスをさらに含み、
各々の前記送信先ポートユニットの前記ポートプロセッサによって実行される動作は、集約された前記トラフィック統計を前記検査アドミニストレータに送信する工程を含み、
前記検査アドミニストレータは、１つ以上のポートユニットから受信された集約された前記トラフィック統計を集約する工程を含む動作を実行する、請求項１１に記載の装置。
【請求項１３】
前記検査アドミニストレータによって実行される動作は、
特定の検査データに関する要求を受信する工程と、
前記要求に基づいて少なくとも１つのフィルタマスクおよび少なくとも１つの集約マスクを生成する工程と、
をさらに含む、請求項１２に記載の装置。
【請求項１４】
前記装置は複数のポートユニットを備え、
前記検査アドミニストレータは各々の前記ポートユニットに関する一意のフィルタマスクを生成する、請求項１３に記載の装置。
【請求項１５】
前記検査アドミニストレータは、異なる検査データに関する複数の要求を受信し、
前記検査アドミニストレータは、各々の前記要求に関する一意の集約マスクを生成する、請求項１３に記載の装置。